(57)【特許請求の範囲】
【請求項１】
平坦に製作されており、かつ、矩形形状を有しているベースと、
上記ベースに突出部を配置することによって設けられたインターロックジョイントと、を備えており、
上記ベースは、長さが≪ａ≫の倍数である辺を有しており、
上記突出部は、４つのグループを構成し、
第１のグループは、上記ベースの少なくとも１つの面に配置された突出部を有しており、
当該突出部の高さは、≪０．５ａ≫より大きく、かつ、≪ａ≫以下であり、
当該突出部は、外径が≪ａ≫に等しいリング状の断面を有する筒状として製作されており、
第２のグループは、上記ベースの少なくとも１つの面に配置された突出部を有しており、
当該突出部の高さは、≪０．５ａ≫に等しく、
当該突出部は、筒状として製作されており、かつ、筒状の突出部において≪ａ≫に等しい辺の長さを備えた四角形状の断面を有しており、
第３のグループは、矩形のプレートの形状をとるように製作された突出部を有しており、当該矩形のプレートは、当該矩形のプレートの中央が上記ベースの端部に位置するように配置されており、
当該突出部は、上記ベースの端部と同一平面上にあり、
当該突出部は、当該矩形のプレートの、当該ベースの面に垂直な辺に沿って長さ≪ａ≫に等しい長さを備えた出っ張りを有しており、
当該出っ張りは、上記ベースの端部から≪０．５ａ≫以下の長さで突出しており、
当該出っ張りは、自身の端部間に形成された長さ≪ａ≫以下のギャップに向かって互いに曲がっており、
第４のグループは、コーナー形状として製作された突出部を有しており、
当該突出部は、隣接する上記ベースの端部において当該ベースの面に対して垂直に配置されており、かつ、当該端部と同一平面上にあるシェルフを有しており、
当該シェルフは、当該ベースの面に垂直な方向に沿った、≪ａ≫に等しい長さと、当該ベースの面の方向に沿った、≪０．５ａ≫以下の長さとを有しており、
全ての突出部は、上記ベースの縁に対して平行な、互いに垂直な線から成る座標格子に基づいて、当該ベースに配置され、
上記座標格子における隣接する線間の距離は、≪２ａ≫に等しく、
縁と上記座標格子における隣接する線との間の距離は、≪０．５ａ≫に等しく、
上記第１のグループの突出部は、格子線が交差する点に配置されており、
上記第２のグループの突出部は、上記座標格子のセルの対角線が交差する点に配置されており、
上記第３のグループの突出部は、上記ベースの端部と同一平面上に配置された、上記第１のグループの隣接する突出部同士の中間に配置されており、
上記第４のグループの突出部は、上記ベースのコーナーに配置されていることを特徴とする組立部材。
【請求項２】
上記第１のグループの突出部の少なくとも１つは、内側に少なくとも１つの溝を有していることを特徴とする請求項１に記載の組立部材。
【請求項３】
上記第１のグループの突出部の少なくとも１つは、内側に少なくとも２つの溝を有していることを特徴とする請求項１に記載の組立部材。
【請求項４】
上記溝は、正反対に製作されていることを特徴とする請求項３に記載の組立部材。
【請求項５】
少なくとも１つの溝は、ポートとして製作されていることを特徴とする請求項２から４のいずれか１項に記載の組立部材。
【請求項６】
平坦に製作されており、かつ、矩形形状を有しているベースと、
上記ベースに突出部を配置することによって設けられたインターロックジョイントと、を備えており、
上記ベースは、長さが≪ａ≫に等しい少なくとも１つの辺と、長さが≪ａ≫の倍数である他の辺とを有しており、
上記突出部は、３つのグループを構成し、
第１のグループは、上記ベースの少なくとも１つの面に配置された突出部を有しており、
当該突出部の高さは、≪０．５ａ≫より大きく、かつ、≪ａ≫以下であり、
当該突出部は、外径が≪ａ≫に等しいリング状の断面を有する筒状として製作されており、
第２のグループは、矩形のプレートの形状をとるように製作された突出部を有しており、当該矩形のプレートは、当該矩形のプレートの中央が上記ベースの端部に位置するように配置されており、
当該突出部は、上記ベースの端部と同一平面上にあり、
当該突出部は、当該矩形のプレートの、当該ベースの面に垂直な辺に沿って長さ≪ａ≫に等しい長さを備えた出っ張りを有しており、
当該出っ張りは、上記ベースの端部から≪０．５ａ≫以下の長さで突出しており、
当該出っ張りは、自身の端部間に形成された長さ≪ａ≫以下のギャップに向かって互いに曲がっており、
第３のグループは、コーナー形状として製作された突出部を有しており、
当該突出部は、隣接する上記ベースの端部において当該ベースの面に対して垂直に配置されており、かつ、当該端部と同一平面上にあるシェルフを有しており、
当該シェルフは、当該ベースの面に垂直な方向に沿った、≪ａ≫に等しい長さと、当該ベースの面の方向に沿った、≪０．５ａ≫以下の長さとを有しており、
全ての突出部は、上記ベースの縁に対して平行な、互いに垂直な線から成る座標格子に基づいて、当該ベースに配置され、
上記座標格子における隣接する線間の距離は、≪２ａ≫に等しく、
縁と上記座標格子における隣接する線との間の距離は、≪０．５ａ≫に等しく、
上記第１のグループの突出部は、格子線が交差する点に配置されており、
上記第２のグループの突出部は、上記ベースの端部と同一平面上に配置された、上記第１のグループの隣接する突出部同士の中間に配置されており、
上記第３のグループの突出部は、上記ベースのコーナーに配置されていることを特徴とする組立部材。
【請求項７】
上記第１のグループの突出部の少なくとも１つは、内側に少なくとも１つの溝を有していることを特徴とする請求項６に記載の組立部材。
【請求項８】
上記第１のグループの突出部の少なくとも１つは、内側に少なくとも２つの溝を有していることを特徴とする請求項６に記載の組立部材。
【請求項９】
上記溝は、正反対に製作されていることを特徴とする請求項８に記載の組立部材。
【請求項１０】
少なくとも１つの溝は、ポートとして製作されていることを特徴とする請求項７から９のいずれか１項に記載の組立部材。
【請求項１１】
平坦に製作されており、かつ、矩形形状を有しているベースと、
上記ベースに突出部を配置することによって設けられたインターロックジョイントと、
を備えており、
上記ベースは、長さが≪ａ≫の倍数である辺を有しており、
上記突出部は、４つのグループを構成し、
第１のグループは、上記ベースの少なくとも１つの面に配置された突出部を有しており、
当該突出部の高さは、≪０．５ａ≫より大きく、かつ、≪ａ≫以下であり、
当該突出部は、（ｉ）十字の対向する端部間の距離が≪ａ≫に等しい十字状の断面を有するように、および／または、（ｉｉ）外径が≪ａ≫に等しいリング状の断面を備えた筒状として製作されており、
第２のグループは、上記ベースの少なくとも１つの面に配置された突出部を有しており、
当該突出部の高さは、≪０．５ａ≫に等しく、
当該突出部は、筒状として製作されており、かつ、筒状の突出部において≪ａ≫に等しい辺の長さを備えた四角形状の断面を有しており、
第３のグループは、矩形のプレートの形状をとるように製作された突出部を有しており、当該矩形のプレートは、当該矩形のプレートの中央が上記ベースの端部に位置するように配置されており、
当該突出部は、上記ベースの端部と同一平面上にあり、
当該突出部は、当該矩形のプレートの、当該ベースの面に垂直な辺に沿って長さ≪ａ≫に等しい長さを備えた出っ張りを有しており、
当該出っ張りは、上記ベースの端部から≪０．５ａ≫以下の長さで突出しており、
当該出っ張りは、自身の端部間に形成された長さ≪ａ≫以下のギャップに向かって互いに曲がっており、
第４のグループは、コーナー形状として製作された突出部を有しており、
当該突出部は、隣接する上記ベースの端部において当該ベースの面に対して垂直に配置されており、かつ、当該端部と同一平面上にあるシェルフを有しており、
当該シェルフは、当該ベースの面に垂直な方向に沿った、≪ａ≫に等しい長さと、当該ベースの面の方向に沿った、≪０．５ａ≫以下の長さとを有しており、
全ての突出部は、上記ベースの縁に対して平行な、互いに垂直な線から成る座標格子に基づいて、当該ベースに配置され、
上記座標格子における隣接する線間の距離は、≪２ａ≫に等しく、
縁と上記座標格子における隣接する線との間の距離は、≪０．５ａ≫に等しく、
上記第１のグループの突出部は、格子線が交差する点に配置されており、
上記第２のグループの突出部は、上記座標格子のセルの対角線が交差する点に配置されており、
上記第３のグループの突出部は、上記ベースの端部と同一平面上に配置された、上記第１のグループの隣接する突出部同士の中間に配置されており、
上記第４のグループの突出部は、上記ベースのコーナーに配置されており、
上記第１のグループの突出部に十字状の断面を設けた場合には、当該端部は、上記ベースの端部と同一平面上に配置されることを特徴とする組立部材。
【請求項１２】
上記リング状の断面を備えた上記第１のグループの突出部の少なくとも１つは、内側に少なくとも１つの溝を有していることを特徴とする請求項１１に記載の組立部材。
【請求項１３】
上記リング状の断面を備えた上記第１のグループの突出部の少なくとも１つは、内側に少なくとも２つの溝を有していることを特徴とする請求項１１に記載の組立部材。
【請求項１４】
上記溝は、正反対に製作されていることを特徴とする請求項１３に記載の組立部材。
【請求項１５】
少なくとも１つの溝は、ポートとして製作されていることを特徴とする請求項１２から１４のいずれか１項に記載の組立部材。
【請求項１６】
平坦に製作されており、かつ、矩形形状を有しているベースと、
上記ベースに突出部を配置することによって設けられたインターロックジョイントと、を備えており、
上記ベースは、長さが≪ａ≫に等しい少なくとも１つの辺と、長さが≪ａ≫の倍数である他の辺とを有しており、
上記突出部は、３つのグループを構成し、
第１のグループは、上記ベースの少なくとも１つの面に配置された突出部を有しており、
当該突出部の高さは、≪０．５ａ≫より大きく、かつ、≪ａ≫以下であり、
当該突出部は、（ｉ）十字の対向する端部間の距離が≪ａ≫に等しい十字状の断面を有するように、および／または、（ｉｉ）外径が≪ａ≫に等しいリング状の断面を備えた筒状として製作されており、
第２のグループは、矩形のプレートの形状をとるように製作された突出部を有しており、当該矩形のプレートは、当該矩形のプレートの中央が上記ベースの端部に位置するように配置されており、
当該突出部は、上記ベースの端部と同一平面上にあり、
当該突出部は、当該矩形のプレートの、当該ベースの面に垂直な辺に沿って長さ≪ａ≫に等しい長さを備えた出っ張りを有しており、
当該出っ張りは、上記ベースの端部から≪０．５ａ≫以下の長さで突出しており、
当該出っ張りは、自身の端部間に形成された長さ≪ａ≫以下のギャップに向かって互いに曲がっており、
第３のグループは、コーナー形状として製作された突出部を有しており、
当該突出部は、隣接する上記ベースの端部において当該ベースの面に対して垂直に配置されており、かつ、当該端部と同一平面上にあるシェルフを有しており、当該シェルフは、当該ベースの面に垂直な方向に沿った、≪ａ≫に等しい長さと、当該ベースの面の方向に沿った、≪０．５ａ≫以下の長さとを有しており、
全ての突出部は、上記ベースの縁に対して平行な、互いに垂直な線から成る座標格子に基づいて、当該ベースに配置され、
上記座標格子における隣接する線間の距離は、≪２ａ≫に等しく、
縁と上記座標格子における隣接する線との間の距離は、≪０．５ａ≫に等しく、
上記第１のグループの突出部は、格子線が交差する点に配置されており、
上記第２のグループの突出部は、上記ベースの端部と同一平面上に配置された、上記第１のグループの隣接する突出部同士の中間に配置されており、
上記第３のグループの突出部は、上記ベースのコーナーに配置されており、
上記第１のグループの突出部に上記十字状の断面を設けた場合には、当該端部は、上記ベースの端部と同一平面上に配置され、
上記第１のグループの突出部に上記リング状の断面を設けた場合には、
少なくとも１つの突出部は、内側に溝を有しており、
当該溝の少なくとも１つは、ポートとして製作されていることを特徴とする組立部材。
【請求項１７】
上記リング状の断面を備えた上記第１のグループの突出部の少なくとも１つは、上記内側に少なくとも１つの溝を有していることを特徴とする請求項１６に記載の組立部材。
【請求項１８】
上記リング状の断面を備えた上記第１のグループの突出部の少なくとも１つは、内側に少なくとも２つの溝を有していることを特徴とする請求項１６に記載の組立部材。
【請求項１９】
上記溝は、正反対に製作されていることを特徴とする請求項１８に記載の組立部材。
【請求項２０】
少なくとも１つの溝は、ポートとして製作されていることを特徴とする請求項１７から１９のいずれか１項に記載の組立部材。
【請求項２１】
相互に接続して単一の構造物を形成することが可能であるように構成された、少なくとも３つのタイプの組立部材を備えており、
第１のタイプの組立部材は、
平坦に製作されており、かつ、矩形形状を有しているベースと、
上記ベースに突出部を配置することによって設けられたインターロックジョイントと、を備えており、
上記ベースは、長さが≪ａ≫の倍数である辺を有しており、
上記突出部は、４つのグループＡを構成し、
第１のグループＡは、上記ベースの少なくとも１つの面に配置された突出部を有しており、
当該突出部の高さは、≪０．５ａ≫より大きく、かつ、≪ａ≫以下であり、
当該突出部は、（ｉ）十字の対向する端部間の距離が≪ａ≫に等しい十字状の断面を有するように、および／または、（ｉｉ）外径が≪ａ≫に等しいリング状の断面を備えた筒状として製作されており、
第２のグループＡは、上記ベースの少なくとも１つの面に配置された突出部を有しており、
当該突出部の高さは、≪０．５ａ≫に等しく、
当該突出部は、筒状として製作されており、かつ、筒状の突出部において≪ａ≫に等しい辺の長さを備えた四角形状の断面を有しており、
第３のグループＡは、矩形のプレートの形状をとるように製作された突出部を有しており、当該矩形のプレートは、当該矩形のプレートの中央が上記ベースの端部に位置するように配置されており、
当該突出部は、上記ベースの端部と同一平面上にあり、
当該突出部は、当該矩形のプレートの、当該ベースの面に垂直な辺に沿って長さ≪ａ≫に等しい長さを備えた出っ張りを有しており、
当該出っ張りは、上記ベースの端部から≪０．５ａ≫以下の長さで突出しており、
当該出っ張りは、長さ≪ａ≫以下の自身の端部間に形成されたギャップに向かって互いに曲がっており、
第４のグループＡは、コーナー形状として製作された突出部を有しており、
当該突出部は、隣接する上記ベースの端部において当該ベースの面に対して垂直に配置されており、かつ、当該端部と同一平面上にあるシェルフを有しており、
当該シェルフは、当該ベースの面に垂直な方向に沿った、≪ａ≫に等しい長さと、当該ベースの面の方向に沿った、≪０．５ａ≫以下の長さとを有しており、
全ての突出部は、上記ベースの縁に対して平行な、互いに垂直な線から成る座標格子に基づいて、当該ベースに配置され、
上記座標格子における隣接する線間の距離は、≪２ａ≫に等しく、
縁と上記座標格子における隣接する線との間の距離は、≪０．５ａ≫に等しく、
上記第１のグループＡの突出部は、格子線が交差する点に配置されており、
上記第２のグループＡの突出部は、上記座標格子のセルの対角線が交差する点に配置されており、
上記第３のグループＡの突出部は、上記ベースの端部と同一平面上に配置された、上記第１のグループＡの隣接する突出部同士の中間に配置されており、
上記第４のグループＡの突出部は、上記ベースのコーナーに配置されており、
上記第１のグループＡの突出部に十字状の断面を設けた場合には、当該端部は、上記ベースの端部と同一平面上に配置され、
第２のタイプの組立部材は、
平坦に製作されており、かつ、矩形形状を有しているベースと、
上記ベースに突出部を配置することによって設けられたインターロックジョイントと、を備えており、
上記ベースは、長さが≪ａ≫に等しい少なくとも１つの辺と、長さが≪ａ≫の倍数である他の辺とを有しており、
上記突出部は、３つのグループＢを構成し、
第１のグループＢは、上記ベースの少なくとも１つの面に配置された突出部を有しており、
当該突出部の高さは、≪０．５ａ≫より大きく、かつ、≪ａ≫以下であり、
当該突出部は、（ｉ）十字の対向する端部間の距離が≪ａ≫に等しい十字状の断面を有するように、および／または、（ｉｉ）外径が≪ａ≫に等しいリング状の断面を備えた筒状として製作されており、
第２のグループＢは、矩形のプレートの形状をとるように製作された突出部を有しており、当該矩形のプレートは、当該矩形のプレートの中央が上記ベースの端部に位置するように配置されており、
当該突出部は、上記ベースの端部と同一平面上にあり、
当該突出部は、当該矩形のプレートの、当該ベースの面に垂直な辺に沿って長さ≪ａ≫に等しい長さを備えた出っ張りを有しており、
当該出っ張りは、上記ベースの端部から≪０．５ａ≫以下の長さで突出しており、
当該出っ張りは、長さ≪ａ≫以下の自身の端部間に形成されたギャップに向かって互いに曲がっており、
第３のグループＢは、コーナー形状として製作された突出部を有しており、
当該突出部は、隣接する上記ベースの端部において当該ベースの面に対して垂直に配置されており、かつ、当該端部と同一平面上にあるシェルフを有しており、
当該シェルフは、当該ベースの面に垂直な方向に沿った、≪ａ≫に等しい長さと、当該ベースの面の方向に沿った、≪０．５ａ≫以下の長さとを有しており、
全ての突出部は、上記ベースの縁に対して平行な、互いに垂直な線から成る座標格子に基づいて、当該ベースに配置され、
上記座標格子における隣接する線間の距離は、≪２ａ≫に等しく、
縁と上記座標格子における隣接する線との間の距離は、≪０．５ａ≫に等しく、
上記第１のグループＢの突出部は、格子線が交差する点に配置されており、
上記第２のグループＢの突出部は、上記ベースの端部と同一平面上に配置された、上記第１のグループＢの隣接する突出部同士の中間に配置されており、
上記第３のグループＢの突出部は、上記ベースのコーナーに配置されており、
上記第１のグループＢの突出部に十字状の断面を設けた場合には、当該端部は、上記ベースの端部と同一平面上に配置され、
上記第１のタイプの部材、および／または上記第２のタイプの部材は、内側に溝が設けられた、上記リング状の断面形状を備えた上記第１のグループＢの突出部を有しており、
第３のタイプの組立部材は、
筒状、および／またはロッド状に製作されており、かつ、側面に少なくとも１つの突出部が設けられており、
当該突出部は、上記第３のタイプの組立部材の突出部を、上記リング状の断面を有する突出部の溝の内部へと移動させた時に、当該第３のタイプの組立部材を、上記リング状の断面を有する突出部の内部へ向かうように、長手方向に移動させることが可能であることを特徴とする組立セット。
【請求項２２】
上記溝は、正反対に製作されていることを特徴とする請求項２１に記載の組立セット。
【発明の詳細な説明】
【発明の詳細な説明】
【０００１】
〔関連出願の参照〕
本出願は、２０１３年１１月２６日に出願されたＰＣＴ出願（ＮＯ．ＰＣＴ/ＲＵ２０１３/００１０６２）の国内段階の出願である。当該ＰＣＴ出願は、２０１３年１１月１２日に出願されたロシア特許出願（Ｎｏ．ＲＵ２０１３１５０１６０）の優先権を主張している。
【０００２】
〔技術分野〕
本発明は、組立部品に関し、特に、組立玩具セットおよびパズルの両方に利用可能な組立部材（部品）に関する。
【０００３】
〔背景〕
類似する周知の先行技術は、”ＬＥＧＯ”社の組立部材である。当該組立部材は、ベースを有している。このベースは、一般的に、１または複数のインターロックジョイントを有する平行六面体の形状として製作される（２０００年６月２０日の特許ＲＵ２１５０９８５）。
【０００４】
周知の組立部材の欠点は、乏しい機能性である。なぜなら、組立部材のデザインは、同一の組立部材間の可能な接続タイプを１つだけしか許容しないからである。
【０００５】
〔発明の概要〕
特許請求の範囲に記載された本発明の目的は、同様の部材をインターロックするための多数の選択肢を提供する組立部材を創作することである。
【０００６】
本技術の成果は、同一のタイプの他の部材を有する提案された組立部材の接続の選択肢を増加させ、かつ、可動な接続を提供するための付加的な組立部材を導入することによって、組立部材の機能性を向上させることを含む。
【０００７】
組立部材の第１の実施形態に係る技術的な成果は、ベースとインターロックジョイントとを含む組立部材によって実現される。ベースは、平坦に製作されており、かつ、矩形形状を有している。ベースは、長さが≪ａ≫の倍数として製作された辺を有している。インターロックジョイントは、ベースに突出部を配置することによって設けられる。当該突出部は、４つのグループの突出部を構成する。第１のグループの突出部は、筒状の形状として、ベースの少なくとも１つの面に配置されており、かつ、外径が≪ａ≫に等しいリング状の断面を有している。第１のグループの突出部の高さは、≪０．５ａ≫より大きく、かつ、≪ａ≫以下である。第２のグループは、ベースの少なくとも１つの面に配置された筒状である突出部を有している。当該突出部は、筒状の突出部において≪ａ≫に等しい辺の長さを備えた四角形状の断面を有している。第２のグループの突出部の高さは、≪０．５ａ≫に等しい。第３のグループの突出部は、矩形のプレートの形状をとるように製作された突出部を有している。当該矩形のプレートは、ベースの端部において当該突出部の中央に配置されている。当該突出部は、ベースの端部と同一平面上にある。当該突出部は、短辺に沿って長さ≪ａ≫に等しい幅を備えた出っ張りを有する。当該出っ張りは、ベースの端部から≪０．５ａ≫以下の長さで突出している。当該出っ張りは、自身の端部間に形成された長さ≪ａ≫以下のギャップに向かって互いに曲がっている。第４のグループの突出部は、コーナー形状として製作されている。当該突出部は、隣接するベースの端部においてベースの面に対して垂直に配置されており、かつ、当該端部と同一平面上にあるシェルフを有している。当該シェルフは、≪ａ≫に等しい長さと、≪０．５ａ≫以下の幅とを有している。全ての突出部は、ベースの縁に対して平行な、互いに垂直な線から成る座標格子に基づいて、ベースに配置される。座標格子における隣接する線間の距離は、≪２ａ≫に等しい。また、ベースの縁と座標格子における隣接する線との間の距離は、≪０．５ａ≫に等しい。第１のグループの突出部は、格子線が交差する点に配置されている。第２のグループの突出部は、座標格子のセルの対角線が交差する点に配置されている。第３のグループの突出部は、ベースの端部と同一平面上に配置された、第１のグループの隣接する突出部同士の中間に配置されている。第４のグループの突出部は、ベースのコーナーに配置されている。
【０００８】
また、組立部材の第１の実施形態に係る技術的な成果は、内側に少なくとも１つのチャネルを有する、少なくとも１つの第１グループの突出部によって実現される。
【０００９】
また、組立部材の第１の実施形態に係る技術的な成果は、内側に少なくとも２つのチャネルを有する、少なくとも１つの第１グループの突出部によって実現される。
【００１０】
また、組立部材の第１の実施形態に係る技術的な成果は、内側に少なくとも２つのチャネルを有する、少なくとも１つの第１グループの突出部によって実現される。これらのチャネルは、正反対に製作されている。
【００１１】
また、組立部材の第１の実施形態に係る技術的な成果は、内側に少なくとも１つのチャネルを有する、少なくとも１つの第１グループの突出部によって実現される。少なくとも１つのチャネルは、ポートとして製作されている。
【００１２】
組立部材の第２の実施形態に係る技術的な成果は、ベースとインターロックジョイントとを含む組立部材によって実現される。ベースは、平坦に製作されており、かつ、矩形形状を有している。ベースは、長さが≪ａ≫に等しい少なくとも１つの辺と、長さが≪ａ≫の倍数である他の辺とを有している。インターロックジョイントは、ベースに突出部を配置することによって設けられる。当該突出部は、３つのグループの突出部を構成する。第１のグループの突出部は、筒状の形状として、ベースの少なくとも１つの面に配置されており、かつ、外径が≪ａ≫に等しいリング状の断面を有している。第１のグループの突出部の高さは、≪０．５ａ≫より大きく、かつ、≪ａ≫以下である。第２のグループは、矩形のプレートの形状をとるように製作された突出部を有している。当該矩形のプレートは、ベースの端部において当該突出部の中央に配置されている。当該突出部は、ベースの端部と同一平面上にある。当該突出部は、短辺に沿って長さ≪ａ≫に等しい幅を備えた出っ張りを有する。当該出っ張りは、ベースの端部から≪０．５ａ≫以下の長さで突出している。当該出っ張りは自身の端部間に形成された長さ≪ａ≫以下のギャップに向かって互いに曲がっている。第３のグループの突出部は、コーナー形状として製作されている。当該突出部は、隣接するベースの端部においてベースの面に対して垂直に配置されており、かつ、当該端部と同一平面上にあるシェルフを有している。当該シェルフは、≪ａ≫に等しい長さと、≪０．５ａ≫以下の幅とを有している。全ての突出部は、ベースの縁に対して平行な、互いに垂直な線から成る座標格子に基づいて、ベースに配置される。座標格子における隣接する線間の距離は、≪２ａ≫に等しい。また、ベースの縁と座標格子における隣接する線との間の距離は、≪０．５ａ≫に等しい。第１のグループの突出部は、格子線が交差する点に配置されている。第２のグループの突出部は、ベースの端部と同一平面上に配置された、第１のグループの隣接する突出部同士の中間に配置されている。第３のグループの突出部は、ベースのコーナーに配置されている。
【００１３】
また、組立部材の第２の実施形態に係る技術的な成果は、内側に少なくとも１つのチャネルを有する、少なくとも１つの第１グループの突出部によって実現される。
【００１４】
また、組立部材の第２の実施形態に係る技術的な成果は、内側に少なくとも２つのチャネルを有する、少なくとも１つの第１グループの突出部によって実現される。
【００１５】
また、組立部材の第２の実施形態に係る技術的な成果は、内側に少なくとも２つのチャネルを有する、少なくとも１つの第１グループの突出部によって実現される。これらのチャネルは、正反対に製作されている。
【００１６】
また、組立部材の第２の実施形態に係る技術的な成果は、内側に少なくとも１つのチャネルを有する、少なくとも１つの第１グループの出部によって実現される。少なくとも１つのチャネルは、ポートとして製作されている。
【００１７】
組立部材の第３の実施形態に係る技術的な成果は、ベースとインターロックジョイントとを含む組立部材によって実現される。ベースは、平坦に製作されており、かつ、矩形形状を有している。ベースは、長さが≪ａ≫の倍数として製作された辺を有している。インターロックジョイントは、ベースに突出部を配置することによって設けられる。当該突出部は、４つのグループの突出部を構成する。第１のグループの突出部は、（ｉ）十字の対向する端部間の距離が≪ａ≫に等しい十字状の断面形状、および／または、（ｉｉ）外径はが≪ａ≫に等しいリング状の断面を有する筒状の形状として、ベースの少なくとも１つの面に配置されている。第１のグループの突出部の高さは、≪０．５ａ≫より大きく、かつ、≪ａ≫以下である。第２のグループは、ベースの少なくとも１つの面に配置された筒状である突出部を有している。当該突出部は、筒状の突出部において≪ａ≫に等しい辺の長さを備えた四角形状の断面を有している。第２のグループの突出部の高さは、≪０．５ａ≫に等しい。第３のグループの突出部は、矩形のプレートの形状をとるように製作された突出部を有している。当該矩形のプレートは、ベースの端部において当該突出部の中央に配置されている。当該突出部は、ベースの端部と同一平面上にある。当該突出部は、短辺に沿って長さ≪ａ≫に等しい幅を備えた出っ張りを有する。当該出っ張りは、ベースの端部から≪０．５ａ≫以下の長さで突出している。当該出っ張りは、自身の端部間に形成された長さ≪ａ≫以下のギャップに向かって互いに曲がっている。第４のグループの突出部は、コーナー形状として製作されている。当該突出部は、隣接するベースの端部においてベースの面に対して垂直に配置されており、かつ、当該端部と同一平面上にあるシェルフを有している。当該シェルフは、≪ａ≫に等しい長さと、≪０．５ａ≫以下の幅とを有している。全ての突出部は、ベースの縁に対して平行な、互いに垂直な線から成る座標格子に基づいて、ベースに配置される。座標格子における隣接する線間の距離は、≪２ａ≫に等しい。また、ベースの縁と座標格子における隣接する線との間の距離は、≪０．５ａ≫に等しい。第１のグループの突出部は、格子線が交差する点に配置されている。第２のグループの突出部は、座標格子のセルの対角線が交差する点に配置されている。第３のグループの突出部は、ベースの端部と同一平面上に配置された、第１のグループの隣接する突出部同士の中間に配置されている。第４のグループの突出部は、ベースのコーナーに配置されている。
【００１８】
また、組立部材の第３の実施形態に係る技術的な成果は、内側に少なくとも１つのチャネルを有する、リング状の断面を備えた少なくとも１つの第１グループの突出部によって実現される。
【００１９】
また、組立部材の第３の実施形態に係る技術的な成果は、内側に少なくとも２つのチャネルを有する、リング状の断面を備えた少なくとも１つの第１グループの突出部によって実現される。
【００２０】
また、組立部材の第３の実施形態に係る技術的な成果は、内側に少なくとも２つのチャネルを有する、リング状の断面を備えた少なくとも１つの第１グループの突出部によって実現される。これらのチャネルは、正反対に製作されている。
【００２１】
また、組立部材の第３の実施形態に係る技術的な成果は、内側に少なくとも１つのチャネルを有する、リング状の断面を備えた少なくとも１つの第１グループの突出部によって実現される。少なくとも１つのチャネルは、ポートとして製作されている。
【００２２】
組立部材の第４の実施形態に係る技術的な成果は、ベースとインターロックジョイントとを含む組立部材によって実現される。ベースは、平坦に製作されており、かつ、矩形形状を有している。ベースは、長さが≪ａ≫に等しい少なくとも１つの辺と、長さが≪ａ≫の倍数である他の辺とを有している。インターロックジョイントは、ベースに突出部を配置することによって設けられる。当該突出部は、３つのグループの突出部を構成する。第１のグループの突出部は、（ｉ）十字の対向する端部間の距離が≪ａ≫に等しい十字状の断面形状、および／または、（ｉｉ）外径が≪ａ≫に等しいリング状の断面を有する筒状の形状として、ベースの少なくとも１つの面に配置されている。第１のグループの突出部の高さは、≪０．５ａ≫より大きく、かつ、≪ａ≫以下である。第２のグループの突出部は、矩形のプレートの形状をとるように製作された突出部を有している。当該矩形のプレートは、ベースの端部において当該突出部の中央に配置されている。当該突出部は、ベースの端部と同一平面上にある。当該突出部は、短辺に沿って長さ≪ａ≫に等しい幅を備えた出っ張りを有する。当該出っ張りは、ベースの端部から≪０．５ａ≫以下の長さで突出している。当該出っ張りは、自身の端部間に形成された長さ≪ａ≫以下のギャップに向かって互いに曲がっている。第３のグループの突出部は、コーナー形状として製作されている。当該突出部は、隣接するベースの端部においてベースの面に対して垂直に配置されており、かつ、当該端部と同一平面上にあるシェルフを有している。当該シェルフは、≪ａ≫に等しい長さと、≪０．５ａ≫以下の幅とを有している。全ての突出部は、ベースの縁に対して平行な、互いに垂直な線から成る座標格子に基づいて、ベースに配置される。座標格子における隣接する線間の距離は、≪２ａ≫に等しい。また、ベースの縁と座標格子における隣接する線との間の距離は、≪０．５ａ≫に等しい。第１のグループの突出部は、格子線が交差する点に配置されている。第２のグループの突出部は、同一平面上に配置された、第１のグループの隣接する突出部同士の中間に配置されている。第３のグループの突出部は、ベースのコーナーに配置されている。
【００２３】
また、組立部材の第４の実施形態に係る技術的な成果は、内側に少なくとも１つのチャネルを有する、リング状の断面を備えた少なくとも１つの第１のグループの突出部によって実現される。
【００２４】
また、組立部材の第４の実施形態に係る技術的な成果は、内側に少なくとも２つのチャネルを有する、リング状の断面を備えた少なくとも１つの第１グループの突出部によって実現される。
【００２５】
また、組立部材の第４の実施形態に係る技術的な成果は、内側に少なくとも２つのチャネルを有する、リング状の断面を備えた少なくとも１つの第１グループの突出部によって実現される。これらのチャネルは、正反対に製作されている。
【００２６】
また、組立部材の第４の実施形態に係る技術的な成果は、内側に少なくとも１つのチャネルを有する、リング状の断面を備えた少なくとも１つの第１のグループの突出部によって実現される。少なくとも１つのチャネルは、ポートとして製作されている。
【００２７】
組立セットの技術的な成果は、少なくとも３つのタイプの組立部材を含む組立セットにより実現される。これらの組立部材は、相互に接続して単一の構造物を形成することが可能であるように構成されている。第１のタイプの組立部材は、ベースとインターロックジョイントとを含んでいる。ベースは、平坦に製作されており、かつ、矩形形状を有している。ベースは、長さが≪ａ≫の倍数として製作された辺を有している。インターロックジョイントは、ベースに突出部を配置することによって設けられる。当該突出部は、４つのグループの突出部を構成する。第１のグループの突出部は、（ｉ）十字の対向する端部間の距離はが≪ａ≫に等しい十字状の断面形状、および／または、（ｉｉ）外径が≪ａ≫に等しいリング状の断面を有する筒状の形状として、ベースの少なくとも１つの面に配置されている。第１のグループの突出部の高さは、≪０．５ａ≫より大きく、かつ、≪ａ≫以下である。第２のグループは、ベースの少なくとも１つの面に配置された筒状である突出部を有している。当該突出部は、筒状の突出部において≪ａ≫に等しい辺の長さを備えた四角形状の断面を有している。第２のグループの突出部の高さは、≪０．５ａ≫に等しい。第３のグループの突出部は、矩形のプレートの形状をとるように製作された突出部を有している。当該矩形のプレートは、上記ベースの端部において当該突出部の中央に配置されている。当該突出部は、ベースの端部と同一平面上にある。当該突出部は、短辺に沿って長さ≪ａ≫に等しい幅を備えた出っ張りを有する。当該出っ張りは、ベースの端部から≪０．５ａ≫以下の長さで突出している。当該出っ張りは、自身の端部間に形成された長さ≪ａ≫以下のギャップに向かって互いに曲がっている。第４のグループの突出部は、コーナー形状として製作されている。当該突出部は、隣接するベースの端部においてベースの面に対して垂直に配置されており、かつ、当該端部と同一平面上にあるシェルフを有している。当該シェルフは、≪ａ≫に等しい長さと、≪０．５ａ≫以下の幅とを有している。全ての突出部は、ベースの縁に対して平行な、互いに垂直な線から成る座標格子に基づいて、ベースに配置される。座標格子における隣接する線間の距離は、≪２ａ≫に等しい。また、ベースの縁と座標格子における隣接する線との間の距離は、≪０．５ａ≫に等しい。第１のグループの突出部は、格子線が交差する点に配置されている。第２のグループの突出部は、座標格子のセルの対角線が交差する点に配置されている。第３のグループの突出部は、ベースの端部と同一平面上に配置された、第１のグループの隣接する突出部同士の中間に配置されている。第４のグループの突出部は、ベースのコーナーに配置されている。第１のグループに十字状の断面を設けた場合には、当該端部は、ベースの端部と同一平面上に配置される。第２のタイプの組立部材は、ベースとインターロックジョイントとを含んでいる。ベースは、平坦に製作されており、かつ、矩形形状を有している。ベースは、長さが≪ａ≫に等しい少なくとも１つの辺と、長さが≪ａ≫の倍数である他の辺とを有している。インターロックジョイントは、ベースに突出部を配置することによって設けられる。当該突出部は、３つのグループの突出部を構成する。第１のグループの突出部は、（ｉ）十字の対向する端部間の距離が≪ａ≫に等しい十字状の断面形状、および／または、（ｉｉ）外径が≪ａ≫に等しいリング状の断面を有する筒状の形状として、ベースの少なくとも１つの面に配置されている。第１のグループの突出部の高さは、≪０．５ａ≫より大きく、かつ、≪ａ≫以下である。第２のグループの突出部は、矩形のプレートの形状をとるように製作された突出部を有している。当該矩形のプレートは、上記ベースの端部において当該突出部の中央に配置されている。当該突出部は、ベースの端部と同一平面上にある。当該突出部は、短辺に沿って長さ≪ａ≫に等しい幅を備えた出っ張りを有する。当該出っ張りは、ベースの端部から≪０．５ａ≫以下の長さで突出している。当該出っ張りは、自身の端部間に形成された長さ≪ａ≫以下のギャップに向かって互いに曲がっている。第３のグループの突出部は、コーナー形状として製作されている。当該突出部は、隣接するベースの端部においてベースの面に対して垂直に配置されており、かつ、当該端部と同一平面上にあるシェルフを有している。当該シェルフは、≪ａ≫に等しい長さと、≪０．５ａ≫以下の幅とを有している。全ての突出部は、ベースの縁に対して平行な、互いに垂直な線から成る座標格子に基づいて、ベースに配置される。座標格子における隣接する線間の距離は、≪２ａ≫に等しい。また、ベースの縁と座標格子における隣接する線との間の距離は、≪０．５ａ≫に等しい。第１のグループの突出部は、格子線が交差する点に配置されている。第２のグループの突出部は、同一平面上に配置された、第１のグループの隣接する突出部同士の中間に配置されている。第３のグループの突出部は、ベースのコーナーに配置されている。第１のグループに十字状の断面を設けた場合には、当該端部は、ベースの端部と同一平面上に配置される。第１のタイプの部材、および／または第２のタイプの部材は、内側に溝が設けられた、リング状の断面を備えた第１のグループの突出部を有している。第３のタイプの組立部材は、筒状、および／またはロッド状として製作されており、かつ、側面に少なくとも１つの突出部が設けられている。当該突出部は、第３のタイプの組立部材の突出部を、リング状の断面を有する突出部の溝の内部へと移動させた時に、第３のタイプの組立部材を、リング状の断面を有する突出部の内部へ向かうように、長手方向に移動させることが可能である。
【００２８】
また、組立セットの技術的な成果は、溝を正反対に製作することにより実現される。
【００２９】
〔図面の簡単な説明〕
図１は、本発明の第１の実施形態に係る組立部材を示す。
【００３０】
図２は、本発明の第２の実施形態に係る組立部材を示す。
【００３１】
図３は、本発明の第３の実施形態に係る組立部材を示す。
【００３２】
図４は、本発明の第４の実施形態に係る組立部材を示す。
【００３３】
図５は、本発明の第３の実施形態に基づいて実現された組立部材を示す。
【００３４】
図６は、図５のＡ−Ａ断面を示す。
【００３５】
図７は、図５のＢ−Ｂ断面を示す。
【００３６】
図８は、本発明の第３の実施形態に基づいて実現された組立部材の側面図を示す。
【００３７】
図９は、本発明の第３の実施形態に基づいて実現された組立部材の例における座標の格子線の配置を示す。
【００３８】
図１０は、本発明の第４の実施形態に基づいて実現された組立部材の例における座標の格子線の配置を示す。
【００３９】
図１１は、インターロックする前の２つの組立部材を示す。
【００４０】
図１２は、互いに接続された２つの組立部材を示す。
【００４１】
図１３は、インターロックする前の２つの組立部材を示す。
【００４２】
図１４は、互いに接続された２つの組立部材を示す。
【００４３】
図１５は、インターロックする前の２つの組立部材を示す。
【００４４】
図１６は、互いに接続された２つの組立部材を示す。
【００４５】
図１７は、組立前の組立部材を示す。
【００４６】
図１８は、本発明の第２の実施形態に係る組立部材を示す。
【００４７】
図１９は、図１８の本発明の第２の実施形態に係る組立部材のＣ−Ｃ断面を示す。当該組立部材は、第１のグループの突出部の溝に配置された、第３のタイプの組立部材の２つの突出部を有している。
【００４８】
図２０および図２１は、図１７に示された構成部材を用いて組み立てられた構造物を様々な視点から示す。
【００４９】
〔発明の実施形態の例〕
ここで、第１の実施形態に係る組立部材について説明する（図１参照）。
【００５０】
第１の実施形態に係る組立部材は、ベース１およびインターロックジョイントを有している。ベース１は、平坦に製作されており、かつ、矩形形状を有している。ベース１は、≪ａ≫の倍数の長さに製作された辺を有している。インターロックジョイントは、ベースに突出部を配置することによって設けられる。当該突出部は、４つのグループの突出部を構成する。第１のグループの突出部２は、ベース１の少なくとも１つの面に配置されている。第１のグループの突出部２の高さ≪Ｈ≫（図６参照）は、≪０．５ａ≫より大きく、かつ、≪ａ≫以下である。突出部は、筒状に製作されており、かつ、外径が≪ａ≫に等しいリング状の断面を有している。リングの内側は、ポートとして、および／または、両端において閉じた溝を有するように製作されてよい。第２のグループは、ベース１の少なくとも１つの面に配置された突出部３を有している。第２のグループの突出部３の高さは、≪０．５ａ≫に等しい（図７参照）。突出部３は、筒状に製作されており、四角形状の断面を有している。当該断面は、筒状の突出部において≪ａ≫に等しい辺の長さを有している。第３のグループの突出部４は、矩形のプレートの形状をとるように製作されている。当該矩形のプレートは、ベース１の端部において当該突出部の中央に配置されている。突出部４は、ベースの端部と同一平面上にある出っ張りを有している。当該出っ張りは、短辺に沿って、長さ≪ａ≫に等しい幅を有している（図８参照）。当該出っ張りは、ベースの端部から長さ“Ｂ”だけ突出している（図７参照）。この長さ“Ｂ”は、≪０．５ａ≫以下である。また、当該出っ張りは、自身の端部間に形成された長さ≪ａ≫以下のギャップに向かって互いに曲がっている（図５参照）。第４のグループの突出部６は、コーナー形状として製作されている。突出部６は、隣接するベースの端部においてベース１の面に対して垂直に配置されており、かつ、当該端部と同一平面上にあるシェルフを有している。当該シェルフは、≪ａ≫に等しい長さ（図８参照）と、≪０．５ａ≫以下の幅≪ｄ≫とを有している（図５参照）。突出部は、ベース１の縁に対して平行な、互いに垂直な線から成る座標格子８に基づいて、ベース１に配置される（図９参照）。座標格子における隣接する線間の距離は、≪２ａ≫に等しい。また、ベースの縁と座標格子における隣接する線との間の距離は、≪０．５ａ≫に等しい。第１のグループの突出部２は、座標格子８の線が交差する点に配置されている。第２のグループの突出部３は、座標格子８のセルの対角線が交差する点に配置されている。第３のグループの突出部４は、ベース１の端部と同一平面上に配置された、第１のグループの隣接する突出部２同士の中間に配置されている。第４のグループの突出部６は、ベース１のコーナーに配置されている。
【００５１】
ここで、第２の実施形態に係る組立部材について説明する（図２参照）。
【００５２】
第２の実施形態に係る組立部材は、ベース１およびインターロックジョイントを有している。ベース１は、平坦に製作されており、かつ、矩形形状を有している。ベース１は、長さが≪ａ≫に等しい少なくとも１つの辺と、長さが≪ａ≫の倍数である他の辺とを有している。インターロックジョイントは、ベースに突出部を配置することによって設けられる。当該突出部は、３つのグループの突出部を構成する。第１のグループの突出部２は、ベース１の少なくとも１つの面に配置されている。第１のグループの突出部２の高さ≪Ｈ≫（図６参照）は、≪０．５ａ≫より大きく、かつ、≪ａ≫以下である。突出部は、筒状に製作されており、かつ、外径が≪ａ≫に等しいリング状の断面を有している。リングの内側は、ポートとして、および／または、両端において閉じた溝を有するように製作されてよい。第２のグループにおいて、突出部４は、矩形のプレートの形状をとるように製作されている。当該矩形のプレートは、ベース１の端部において当該突出部の中央に配置されている。突出部４は、ベースの端部と同一平面上にある出っ張りを有している。当該出っ張りは、短辺に沿って長さ≪ａ≫に等しい幅を有している（図８参照）。当該出っ張りは、ベースの端部から長さ“Ｂ”だけ突出している（図７参照）この長さ“Ｂ”は、≪０．５ａ≫以下である。また、当該出っ張りは、自身の端部間に形成された長さ≪ａ≫以下のギャップに向かって互いに曲がっている（図５参照）。第３のグループの突出部６は、コーナー形状として製作されている。突出部６は、隣接するベースの端部においてベース１の面に対して垂直に配置されており、かつ、当該端部と同一平面上にあるシェルフを有している。当該シェルフは、≪ａ≫に等しい長さ（図８参照）と、≪０．５ａ≫以下の幅≪ｄ≫とを有している（図５参照）。突出部は、ベース１の縁に対して平行な、互いに垂直な線から成る座標格子８に基づいて、ベース１に配置される（図１０参照）。座標格子における隣接する線間の距離は、≪２ａ≫に等しい。また、ベースの縁と座標格子における隣接する線との間の距離は、≪０．５ａ≫に等しい。第１のグループの突出部２は、座標格子８の線が交差する点に配置されている。第２のグループの突出部４は、ベース１の端部と同一平面上に配置された、第１のグループの隣接する突出部２同士の中間に配置されている。第３のグループの突出部６は、ベース１のコーナーに配置されている。
【００５３】
ここで、第３の実施形態に係る組立部材について説明する（図３参照）。
【００５４】
第３の実施形態に係る組立部材は、ベース１およびインターロックジョイントを有している。ベース１は、平坦に製作されており、かつ、矩形形状を有している。ベース１は、≪ａ≫の倍数の長さに製作された辺を有している。インターロックジョイントは、ベースに突出部を配置することによって設けられる。当該突出部は、４つのグループの突出部を構成する。第１のグループの突出部２および７は、ベース１の少なくとも１つの面に配置されている。突出部２および７の高さ≪Ｈ≫（図６参照）は、≪０．５ａ≫より大きく、かつ、≪ａ≫以下である。第１のグループの突出部は、（ｉ）十字の対向する端部間の距離が≪ａ≫に等しい十字状の断面形状を有する突出部７の形状、および／または、（ｉｉ）外径が≪ａ≫に等しいリング状の断面を有する筒状の形状の突出部２として製作されている。リングの内側は、ポートとして、および／または、両端において閉じた溝を有するように製作されてよい。第２のグループは、ベース１の少なくとも１つの面に配置された突出部３を有している。第２のグループの突出部３の高さは、≪０．５ａ≫に等しい（図７参照）。突出部３は、筒状に製作されており、四角形状の断面を有している。当該断面は、筒状の突出部において≪ａ≫に等しい辺の長さを有している。第３のグループの突出部４は、矩形のプレートの形状をとるように製作されている。当該矩形のプレートは、ベース１の端部において当該突出部の中央に配置されている。突出部４は、ベースの端部と同一平面上にある出っ張りを有している。当該出っ張りは、短辺に沿って長さ≪ａ≫に等しい幅を有している（図８参照）。当該出っ張りは、ベースの端部から長さ“Ｂ”だけ突出している（図７参照）。この長さ“Ｂ”は、≪０．５ａ≫以下である。また、当該出っ張りは、自身の端部間に形成された長さ≪ａ≫以下のギャップに向かって互いに曲がっている（図５参照）。第４のグループの突出部６は、コーナー形状として製作されている。突出部６は、隣接するベースの端部においてベース１の面に対して垂直に配置されており、かつ、当該端部と同一平面上にあるシェルフを有している。当該シェルフは、≪ａ≫に等しい長さ（図８参照）と、≪０．５ａ≫以下の幅≪ｔ≫とを有している（図５参照）。突出部は、ベース１の縁に対して平行な、互いに垂直な線から成る座標格子８に基づいて、ベース１に配置される（図９参照）。座標格子における隣接する線間の距離は、≪２ａ≫に等しい。また、ベースの縁と座標格子における隣接する線との間の距離は、≪０．５ａ≫に等しい。第１のグループの突出部２は、座標格子８の線が交差する点に配置されている。第２のグループの突出部３は、座標格子８のセルの対角線が交差する点に配置されている。第３のグループの突出部４は、ベース１の端部と同一平面上に配置された、第１のグループの隣接する突出部２同士の中間に配置されている。第４のグループの突出部６は、ベース１のコーナーに配置されている。
【００５５】
ここで、第４の実施形態に係る組立部材について説明する（図４参照）。
【００５６】
第４の実施形態に係る組立部材は、ベース１およびインターロックジョイントを有している。ベース１は、平坦に製作されており、かつ、矩形形状を有している。ベース１は、長さが≪ａ≫に等しい少なくとも１つの辺と、長さが≪ａ≫の倍数である他の辺とを有している。インターロックジョイントは、ベースに突出部を配置することによって設けられる。当該突出部は、３つのグループの突出部を構成する。第１のグループの突出部２および７は、ベース１の少なくとも１つの面に配置されている。突出部２および７の高さ≪Ｈ≫（図６参照）は、≪０．５ａ≫より大きく、かつ、≪ａ≫以下である。第１のグループの突出部は、（ｉ）十字の対向する端部間の距離が≪ａ≫に等しい十字状の断面形状を有する突出部７の形状、および／または、（ｉｉ）外径が≪ａ≫に等しいリング状の断面を有する筒状の形状の突出部２として製作されている。リングの内側は、ポートとして、および／または両端において閉じた溝を有するように製作されてよい。第２のグループにおいて、突出部４は、矩形のプレートの形状をとるように製作されている。当該矩形のプレートは、ベース１の端部において当該突出部の中央に配置されている。突出部４は、ベースの端部と同一平面上にある出っ張りを有している。当該出っ張りは、短辺に沿って長さ≪ａ≫に等しい幅を有している（図８参照）。当該出っ張りは、ベースの端部から長さ“Ｂ”だけ突出している（図７参照）。この長さ“Ｂ”は、≪０．５ａ≫以下である。また、当該出っ張りは、自身の端部間に形成された長さ≪ａ≫以下のギャップに向かって互いに曲がっている（図５参照）。第３のグループの突出部６は、コーナー形状として製作されている。突出部６は、隣接するベースの端部においてベース１の面に対して垂直に配置されており、かつ、当該端部と同一平面上にあるシェルフを有している。当該シェルフは、≪ａ≫に等しい長さ（図８参照）と、≪０．５ａ≫以下の幅≪ｄ≫とを有している（図５参照）。突出部は、ベース１の縁に対して平行な、互いに垂直な線から成る座標格子８に基づいて、ベース１に配置される（図１０参照）。座標格子における隣接する線間の距離は、≪２ａ≫に等しい。また、ベースの縁と座標格子における隣接する線との間の距離は、≪０．５ａ≫に等しい。第１のグループの突出部２は、座標格子８の線が交差する点に配置されている。第２のグループの突出部４は、ベース１の端部と同一平面上に配置された、第１のグループの隣接する突出部２同士の中間に配置されている。第３のグループの突出部６は、ベース１のコーナーに配置されている。
【００５７】
組立部材を互いに接続させた場合、異なる部材の突出部が相互にインターロックする。インターロックは、摩擦力に基づいており、当該摩擦力は、相互に密接に接触している時に、突出部間に生じる。部材を互いに接続させた場合、異なるグループの突出部は、同時にインターロックによって係合し、より大きな接続力を提供する。
【００５８】
こうした接続の例について、考察してみよう。
【００５９】
図１１は、接続される前の２つの組立部材を示す。これらの組立部材は、互いにインターロックする図示された突出部を有している。上側の部材９は、第４の実施形態に基づいて実現され、下側の部材１０は、第３の実施形態に基づいて実現されている。部材９の第１のグループの突出部１１は、部材１０の第２のグループの突出部１２とインターロックする。部材９の第２のグループの突出部１３は、部材１０の第１のグループの突出部１４とインターロックする。部材９の第２のグループの突出部１５は、部材１０の第１のグループの突出部１６とインターロックする。部材９の第１のグループの突出部１７は、部材１０の第３のグループの突出部１８とインターロックする。図１２は、インターロックされた状態のこれらの部材を示している。
【００６０】
図１３は、接続される前の２つの組立部材１９および２０を示す。これらの組立部材は、接続されると互いにインターロックする図示された突出部を有している。両部材は、大３の実施形態に基づいて実現されている。部材１９の第３のグループの突出部２１は、部材２０の４つの突出部、すなわち、（ｉ）第３のグループの突出部２２、（ｉｉ）第２のグループの突出部２３、（ｉｉｉ）第１のグループの突出部２４、および、（ｉｖ）第１のグループの突出部２５とインターロックする。部材２０の第２のグループの突出部２３は、部材１９の第４のグループの突出部２６とインターロックする。図１４は、インターロックされた状態のこれらの部材を示している。
【００６１】
図１５は、接続される前の２つの組立部材を示す。これらの組立部材は、接続されると互いにインターロックする図示された突出部を有している。組立部材２７は、第４の実施形態に基づいて実現され、部材２８は、第３の実施形態に基づいて実現されている。部材２７の第２のグループの突出部２９は、部材３０の第３のグループの突出部３０とインターロックする。図１６は、インターロックされた状態のこれらの部材を示している。
【００６２】
組立セットは、自身が備える３つのタイプの部材のセットによって特徴付けられる。組立部材の第１のタイプは、第１の実施形態または第３の実施形態（図１７の３１の位置を参照）に基づいて実現される組立部材に類似している。組立部材の第２のタイプ（図１８の３２の位置を参照）は、第２の実施形態および第４の実施形態（図１８参照）に基づいて実現される組立部材と類似している。組立部材３３（図１７，１９参照）の３つのタイプは、筒状および／またはロッド形状として製作され、側面に少なくとも１つの突出部が設けられている。当該突出部は、（ｉ）第３のタイプの組立部材の突出部を、第１のグループの第１のタイプの部材３１からリング状の断面を有する突出部の内部へと移動させた時、または、（ｉｉ）第３のタイプの組立部材の突出部を、リング状の断面を有する突出部の溝の内部へと移動させた時に、第３のタイプの組立部材を、リング状の断面の内部へ向かうように、長手方向に移動させることができる。図１９は、第２のタイプの部材３２の第１のグループの突出部から、突出部の閉じた溝の内部への第３のタイプの部材３３の移動を示している。閉じた溝が視認しやすいように、突出部は断面として示されている。
【００６３】
図１７は、図２０および図２１に示された構成へと組み立てられる前の組立部材のセットを示している。
【００６４】
組立部材を互いに接続する時に、当該組立部材をより正確に配置するために、インターロックジョイントの突出部には、傾斜、丸み、スロープ等が設けられてもよい。また、ベース１は、材料を節約するために、様々な開口を有するように製作されてもよい。
【図面の簡単な説明】
【００６５】
【図１】本発明の第１の実施形態に係る組立部材を示す図である。
【図２】本発明の第２の実施形態に係る組立部材を示す図である。
【図３】本発明の第３の実施形態に係る組立部材を示す図である。
【図４】本発明の第４の実施形態に係る組立部材を示す図である。
【図５】本発明の第３の実施形態に基づいて実現された組立部材を示す図である。
【図６】図５のＡ−Ａ断面を示す図である。
【図７】図５のＢ−Ｂ断面を示す図である。
【図８】本発明の第３の実施形態に基づいて実現された組立部材の側面図を示す図である。
【図９】本発明の第３の実施形態に基づいて実現された組立部材の例における座標の格子線の配置を示す図である。
【図１０】本発明の第４の実施形態に基づいて実現された組立部材の例における座標の格子線の配置を示す図である。
【図１１】インターロックする前の２つの組立部材を示す図である。
【図１２】互いに接続された２つの組立部材を示す図である。
【図１３】インターロックする前の２つの組立部材を示す図である。
【図１４】互いに接続された２つの組立部材を示す図である。
【図１５】インターロックする前の２つの組立部材を示す図である。
【図１６】互いに接続された２つの組立部材を示す図である。
【図１７】組立前の組立部材を示す図である。
【図１８】本発明の第２の実施形態に係る組立部材を示す図である。
【図１９】第１のグループの突出部の溝に配置された第３のタイプの組立部材の２つの突出部を有している、図１８の本発明の第２の実施形態に係る組立部材のＣ−Ｃ断面を示す図である。
【図２０】図１７に示された構成部材を用いて組み立てられた構造物を様々な視点から示す図である。
【図２１】図１７に示された構成部材を用いて組み立てられた構造物を様々な視点から示す図である。
【図１】
0006051339.tif 000002
【図２】
0006051339.tif 000003
【図３】
0006051339.tif 000004
【図４】
0006051339.tif 000005
【図５】
0006051339.tif 000006
【図６】
0006051339.tif 000007
【図７】
0006051339.tif 000008
【図８】
0006051339.tif 000009
【図９】
0006051339.tif 000010
【図１０】
0006051339.tif 000011
【図１１】
0006051339.tif 000012
【図１２】
0006051339.tif 000013
【図１３】
0006051339.tif 000014
【図１４】
0006051339.tif 000015
【図１５】
0006051339.tif 000016
【図１６】
0006051339.tif 000017
【図１７】
0006051339.tif 000018
【図１８】
0006051339.tif 000019
【図１９】
0006051339.tif 000020
【図２０】
0006051339.tif 000021
【図２１】
0006051339.tif 000022